(57)【要約】【課題】ユーザーが原稿の印刷を行うときに携帯端末から原稿の向きを直感的に設定できる画像形成システム及び携帯端末を提供する。【解決手段】ユーザーは、図３（１）に示す印刷設定画面８００を表示し、「原稿向き」ボタン８１０をポイントすると、図３（２）（ａ）に示すように操作パネル２３０に原稿のプレビュー画像と「確定」ボタン８２０が表示される。ユーザーが原稿の上側を上にするときには、図３（２）（ａ）に示すように携帯端末２００の本体及びプレビュー画像が縦向の状態で「確定」ボタン８２０をポイントする。また、ユーザーが原稿の上側を左にするときには、図３（２）（ｂ）に示すように携帯端末２００の本体及びプレビュー画像が横向の状態で「確定」ボタン８２０をポイントする。このような操作手順により、ユーザーは、原稿の上側を上にする（Top Edge on Top）設定または原稿の上側を左にする（Top Edge on Left）設定を行うことができる。【選択図】図３
2015187762.tif 000002
【特許請求の範囲】
【請求項１】
画像形成装置と携帯端末を有する画像形成システムであって、
前記画像形成装置は、
画像データからプレビュー画像データを作成するプレビュー画像データ作成手段と、
前記携帯端末に前記プレビュー画像データを送信するプレビュー画像データ送信手段とを備え、
前記携帯端末は、
前記画像形成装置から前記プレビュー画像データを受信するプレビュー画像データ受信手段と、
前記プレビュー画像データの画像を表示するプレビュー画像表示手段と、
前記プレビュー画像データの画像の向きにより原稿の上側を上にするかまたは原稿の上側を左にするかの原稿の向きを設定する原稿向き設定手段とを備え
ることを特徴とする画像形成システム。
【請求項２】
前記携帯端末は、
本体が縦向きであるか横向きであるかを検出する向き検出手段を備え、
前記本体の縦向きまたは横向きに応じて前記プレビュー画像データの画像を縦向きまたは横向きとすることを特徴とする請求項１に記載の画像形成システム。
【請求項３】
前記携帯端末は、
前記プレビュー画像データの印刷設定を行う印刷設定画面を表示する印刷設定画面表示手段と、
前記印刷設定画面から設定された印刷設定データを前記画像形成装置に送信する印刷設定データ送信手段と
を備え、
前記画像形成装置は、
前記印刷設定データを前記携帯端末から受信する印刷設定データ受信手段と
を備え
ることを特徴とする請求項１または請求項２に記載の画像形成システム。
【請求項４】
前記画像形成装置と前記携帯端末は、ネットワークにより接続することを特徴とする請求項１から請求項３のいずれか１項に記載の画像形成システム。
【請求項５】
前記画像形成装置と前記携帯端末は、近距離無線通信により接続することを特徴とする請求項１から請求項４のいずれか１項に記載の画像形成システム。
【請求項６】
前記画像形成装置と前記携帯端末は、インターネットにより接続することを特徴とする請求項１から請求項５のいずれか１項に記載の画像形成システム。
【請求項７】
画像データを画像形成装置から受信する画像データ受信手段と、
前記画像データからプレビュー画像データを作成するプレビュー画像データ作成手段と、
前記プレビュー画像データの画像を表示するプレビュー画像表示手段と、
前記プレビュー画像データの画像の向きにより原稿の上側を上にするかまたは原稿の上側を左にするかの原稿の向きを設定する原稿向き設定手段と
を備えることを特徴とする携帯端末。
【請求項８】
本体が縦向きであるか横向きであるかを検出する向き検出手段を備え、
前記本体の縦向きまたは横向きに応じて前記プレビュー画像データの画像を縦向きまたは横向きとすることを特徴とする請求項７に記載の携帯端末。
【請求項９】
前記プレビュー画像データの印刷設定を行う印刷設定画面を表示する印刷設定画面表示手段と、
前記印刷設定画面から設定された印刷設定データを前記画像形成装置に送信する印刷設定データ送信手段と
を備えることを特徴とする請求項７または請求項８に記載の携帯端末。
【発明の詳細な説明】
【技術分野】
【０００１】
本発明は、画像形成装置から受信した画像の印刷イメージ（以下、「プレビュー」という）を携帯端末に表示し、携帯端末から画像形成装置の印刷設定を行う画像形成システム及び携帯端末に関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、読み取った原稿の画像データやプレビューの画像データ（以下、「プレビュー画像データ」という）を携帯電話、スマートフォン、またはタブレット端末などの携帯端末に無線通信により送信することができる。また、携帯端末が画像形成装置からプレビュー画像データを受信し、携帯端末の操作パネルにプレビュー画像を表示することで、ユーザーは手元のプレビュー画像から印刷設定を確認することができる。例えば、特許文献１の可変型の端末装置（携帯端末）に搭載される制御装置では、Ｗｅｂサーバーから取り出したＷｅｂデータのプレビュー画像を作成して端末装置のディスプレイに表示することで、ユーザーは手元のプレビュー画像から印刷設定を確認できるようにしている。また、端末装置が縦向き状態（端末装置の短辺が上）のときには、原稿の長辺の上から下の方向に印刷するポートレート印刷、端末装置が横向き状態（端末装置の長辺が上）のときには、原稿の短辺の上から下の方向に印刷するランドスケープ印刷にプリンター（画像形成装置）を切り替えるようにしている。
【先行技術文献】
【特許文献】
【０００３】
【特許文献１】特開２０１２−０３８０６７号公報
【発明の概要】
【発明が解決しようとする課題】
【０００４】
しかし、特許文献１の端末装置は、本体を縦向き状態または横向き状態とすることで、プリンターをポートレート印刷またはランドスケープ印刷に切り替えることができるが、他の設定を行うことができない。特に、穴あけ、ホチキス、または冊子の綴じなどのステープルを行う機器（以下、「フィニッシャー」という）を備えた画像形成装置においては、原稿の上側を上（Top Edge on Top）にするか、または原稿の上側を左（Top Edge on Left）にするかの原稿の向きの設定により、ステープルの位置が決定される。例えば、原稿の上側を上（Top Edge on Top）にすると、原稿の上側に対して左側にステープルが設けられる。また、原稿の上側を左（Top Edge on Left）にすると、原稿の上側にステープルが設けられる。また、縦方向と横方向の拡大率や縮小率を別々に設定できる場合において、原稿の向きにより縦方向と横方向が異なる。例えば、原稿の上側を上（Top Edge on Top）にすると、縦方向は原稿の上側の辺に対して直角の方向となり、横方向は原稿の上側の辺に平行となる。また、原稿の上側を左（Top Edge on Left）にとすると、縦方向は原稿の上側の辺に平行となり、横方向は原稿の上側の辺に対して直角の方向となる。この原稿の上側を上（Top Edge on Top）にするか、または原稿の上側を左（Top Edge on Left）にするかの原稿の向きは、原稿を用紙に印刷するときにはどちらの向きに設定されていても問題ないが、ステープルや拡大縮小の機能を動作させるときには正しく設定する必要がある。つまり、原稿の向きによりステープルの位置、拡大縮小の縦方向と横方向が変わるため、ユーザーがイメージ通りのステープルや拡大縮小を行うための原稿の向きを容易に設定できないという問題があった。
【０００５】
本発明はこのような状況に鑑みてなされたものであり、上記課題を解決できる画像形成システム及び携帯端末を提供することを目的とする。
【課題を解決するための手段】
【０００６】
本発明の画像形成システムは、画像形成装置と携帯端末を有する画像形成システムであって、前記画像形成装置は、画像データからプレビュー画像データを作成するプレビュー画像データ作成手段と、前記携帯端末に前記プレビュー画像データを送信するプレビュー画像データ送信手段とを備え、前記携帯端末は、前記画像形成装置から前記プレビュー画像データを受信するプレビュー画像データ受信手段と、前記プレビュー画像データの画像を表示するプレビュー画像表示手段と、前記プレビュー画像データの画像の向きにより原稿の上側を上にするかまたは原稿の上側を左にするかの原稿の向きを設定する原稿向き設定手段とを備えることを特徴としている。
また、本発明の画像形成システムの前記携帯端末は、本体が縦向きであるか横向きであるかを検出する向き検出手段を備え、前記本体の縦向きまたは横向きに応じて前記プレビュー画像データの画像を縦向きまたは横向きとすることを特徴としている。
また、本発明の画像形成システムの前記携帯端末は、前記プレビュー画像データの印刷設定を行う印刷設定画面を表示する印刷設定画面表示手段と、前記印刷設定画面から設定された印刷設定データを前記画像形成装置に送信する印刷設定データ送信手段とを備え、前記画像形成装置は、前記印刷設定データを前記携帯端末から受信する印刷設定データ受信手段と
を備えることを特徴としている。
また、本発明の画像形成システムの前記画像形成装置と前記携帯端末は、ネットワークにより接続することを特徴としている。
また、本発明の画像形成システムの前記画像形成装置と前記携帯端末は、近距離無線通信により接続することを特徴としている。
また、本発明の画像形成システムの前記画像形成装置と前記携帯端末は、インターネットにより接続することを特徴としている。
本発明の携帯端末は、画像データを画像形成装置から受信する画像データ受信手段と、前記画像データからプレビュー画像データを作成するプレビュー画像データ作成手段と、前記プレビュー画像データの画像を表示するプレビュー画像表示手段と、前記プレビュー画像データの画像の向きにより原稿の上側を上にするかまたは原稿の上側を左にするかの原稿の向きを設定する原稿向き設定手段とを備えることを特徴としている。
また、本発明の携帯端末は、本体が縦向きであるか横向きであるかを検出する向き検出手段を備え、前記本体の縦向きまたは横向きに応じて前記プレビュー画像データの画像を縦向きまたは横向きとすることを特徴としている。
また、本発明の携帯端末は、前記プレビュー画像データの印刷設定を行う印刷設定画面を表示する印刷設定画面表示手段と、前記印刷設定画面から設定された印刷設定データを前記画像形成装置に送信する印刷設定データ送信手段とを備えることを特徴としている。
【発明の効果】
【０００７】
本発明の画像形成システム及び携帯端末は、ユーザーが原稿の印刷を行うときに携帯端末から原稿の向きを直感的に設定することができる。
【図面の簡単な説明】
【０００８】
【図１】本発明の実施形態に係る画像形成システムの構成を示す図である。
【図２】図１に示す画像形成システムの画像形成装置と携帯端末の機能構成を示す図である。
【図３】本発明の実施形態に係る携帯端末から原稿の向きを設定するユーザーの操作手順を示す図である。
【図４】本発明の実施形態に係る携帯端末の原稿向き設定処理の流れを示すフローチャートである。
【発明を実施するための形態】
【０００９】
以下、本発明を実施するための形態（以下、「実施形態」という）を、図面を参照して説明する。実施形態は、ユーザーが携帯端末にプレビュー画像を表示し、プレビュー画像を表示しているときに携帯端末の本体を縦向または横向にすることで、原稿の向きを設定するものである。
【００１０】
まず、本実施形態の画像形成システム１０のシステム構成について、図１を用いて説明する。図１に示すように、画像形成システム１０は、複数の画像形成装置１００、複数の携帯端末２００、アクセスポイント３００、ネットワーク４００、ルーター５００、インターネット６００、及びアクセスポイント７００により構成されている。画像形成装置１００とアクセスポイント３００はネットワーク４００に接続され、ネットワーク４００はルーター５００を経由してインターネット６００に接続されている。
【００１１】
画像形成装置１００は、プリンター、多機能プリンター、多機能周辺装置、または複合機であり、近距離無線通信、ネッワーク４００、またはインターネット６００により携帯端末２００とデータの送受信を行うことができる。
【００１２】
携帯端末２００は、携帯電話、スマートフォン、またはタブレット端末等であり、近距離無線通信、ネットワーク４００のアクセスポイント３００、またはインターネット６００のアクセスポイント７００により画像形成装置１００とデータの送受信を行うことができる。
【００１３】
アクセスポイント３００は、ネットワーク４００に接続され、無線通信によりアクセスポイント３００に対して接続要求を行っている携帯端末２００をネットワーク４００に接続する。
【００１４】
ネットワーク４００は、ＬＡＮ（Local Area Network）などのネットワーク（イントラネット等）であり、複数の画像形成装置１００と、アクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、複数の携帯端末２００がアクセスポイント７００を経由して接続する。
【００１７】
次に、画像形成システム１０の画像形成装置１００と携帯端末２００の機能構成について、図２を用いて説明する。図２に示す画像形成装置１００と携帯端末２００は、図１に示す画像形成システム１０において、ネットワーク４００に接続する１台の画像形成装置１００と、アクセスポイント３００によりネットワーク４００に接続する１台の携帯端末２００の機能構成を示す。また、図１に示す他の画像形成装置１００及び携帯端末２００についても同様の機能構成である。
【００１８】
まず、画像形成装置１００の機能構成について、説明する。図２に示す画像形成装置１００は、制御部１１０、メモリー部１２０、記憶部１３０、操作パネル１４０、操作パネル処理部１５０、原稿読取部１６０、画像処理部１７０、近距離無線通信部１８０、及びネットワーク通信部１９０を備え、これら各部はバスなどにより接続される構成となっている。制御部１１０には、プレビュー画像作成処理部１１０ａとプレビュー画像送信処理部１１０ｂが設けられている。メモリー部１２０には、画像データ記憶エリア１２０ａとプレビュー画像データ記憶エリア１２０ｂが設けられている。記憶部１３０には、ドキュメントボックスエリア１３０ａが設けられている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
プレビュー画像作成処理部１１０ａは、画像データ記憶エリア１２０ａから画像データを取り出し、この画像データからプレビュー画像データを作成し、プレビュー画像データ記憶エリア１２０ｂに記憶する。
プレビュー画像送信処理部１１０ｂは、携帯端末２００からプレビュー画像要求通知を受信すると、プレビュー画像データ記憶エリア１２０ｂからプレビュー画像データを取り出し、携帯端末２００に送信する。
【００２０】
メモリー部１２０は、フラッシュメモリー等の補助記憶装置で、制御部１１０が実行する処理のプログラムやデータを記憶する。
画像データ記憶エリア１２０ａは、原稿読取部１６０から読み取った画像データや、ネットワーク通信部１９０を経由して他の画像形成装置１００や携帯端末２００から受信した画像データを記憶する。
プレビュー画像データ記憶エリア１２０ｂは、画像形成装置１００が画像データから作成したプレビュー画像データを記憶する。
【００２１】
記憶部１３０は、データやプログラムを記憶するハードディスクドライブである。
ドキュメントボックスエリア１３０ａには、ユーザー毎の複数のドキュメントボックスが設けられている。各々のドキュメントボックスには、ユーザーが管理する画像データが記憶されている。
【００２２】
操作パネル１４０は、操作画面、画像データの画像、及びプレビュー画像データのプレビュー画像の表示と、ユーザーによる操作受け付けを行う液晶パネルである。
【００２３】
操作パネル処理部１５０は、画像形成装置１００が備えている機能に対する操作項目を操作パネル１４０に表示する処理、画像及びプレビュー画像を操作パネル１４０に表示する処理、または操作パネル１４０からユーザーの操作を入力する処理を行う。
【００２４】
原稿読取部１６０は、ユーザーが操作パネル１４０から読み取り操作を行うと、画像形成装置１００の原稿台にセットされた原稿の読み取りを行い、読み取ったデータを画像処理部１７０に出力する。
【００２５】
画像処理部１７０は、原稿読取部１６０から読み取ったデータを入力すると、印刷可能なイメージの画像データや、ＦＡＸやメールで送信可能なイメージの画像データに変換する。
【００２６】
近距離無線通信部１８０は、近距離無線通信規格であるBluetooth（登録商標）や赤外線通信により携帯端末２００と近距離での直接通信を行う。
【００２７】
ネットワーク通信部１９０は、着脱可能なＬＡＮインターフェイスを備え、ネットワーク４００に接続する。
【００２８】
次に、携帯端末２００の機能構成について、説明する。図２に示す携帯端末２００は、制御部２１０、メモリー部２２０、操作パネル２３０、操作パネル処理部２４０、３軸加速度センサー部２５０、近距離無線通信部２６０、及びネットワーク通信部２７０を備え、これら各部はバスなどにより接続される構成となっている。制御部２１０には、プレビュー画像要求処理部２１０ａと原稿向き設定処理部２１０ｂが設けられている。メモリー部２２０には、プレビュー画像データ記憶エリア２２０ａと印刷設定データ記憶エリア２２０ｂが設けられている。
【００２９】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な携帯端末２００の制御を行う。
プレビュー画像要求処理部２１０ａは、画像形成装置１００に対してプレビュー画像要求通知を送信し、画像形成装置１００からプレビュー画像データを受信すると、プレビュー画像データ記憶エリア２２０ａに記憶する。
原稿向き設定処理部２１０ｂは、携帯端末２００の本体が縦向または横向であるかを検出することで原稿の向きを設定する。
【００３０】
メモリー部２２０は、フラッシュメモリー等の補助記憶装置で、制御部２１０が実行する処理のプログラムやデータを記憶する。
プレビュー画像データ記憶エリア２２０ａは、画像形成装置１００から受信するプレビュー画像データを記憶する。
印刷設定データ記憶エリア２２０ｂは、後述する印刷設定画面８００により設定される印刷設定データを記憶する。
【００３１】
操作パネル２３０は、操作画面、設定画面、画像データの画像、及びプレビュー画像データのプレビュー画像の表示と、ユーザーによる操作や設定の受け付けを行う液晶パネルである。
【００３２】
操作パネル処理部２４０は、携帯端末２００が備えている機能に対する操作項目や設定項目の画面を操作パネル２３０に表示する処理、画像及びプレビュー画像を操作パネル２３０に表示する処理、または操作パネル２３０からユーザーの操作や設定を入力する処理を行う。
【００３３】
３軸加速度センサー部２５０は、ＸＹＺ軸方向それぞれの加速度を検出することで、携帯端末２００の傾きなどの動きを検出するＭＥＭＳ(Micro Electro Mechanical System)センサーである。
【００３４】
近距離無線通信部２６０は、近距離無線通信規格であるBluetooth（登録商標）や赤外線通信により画像形成装置１００と近距離での直接通信を行う。
【００３５】
ネットワーク通信部２７０は、アクセスポイント３００を経由してネットワーク４００に接続する。また、ネットワーク通信部２７０は、アクセスポイント７００を経由してインターネット６００に接続する。
【００３６】
次に、実施形態における携帯端末２００から原稿の向きを設定するユーザーの操作手順について、図３を用いて説明する。
まず、ユーザーが操作パネル２３０から印刷設定画面８００を表示する操作を行うと、図３（１）に示すように操作パネル２３０に印刷設定画面８００が表示される。次いで、ユーザーが印刷設定画面８００の「原稿向き」ボタン８１０をポイントすると、図３（２）（ａ）に示すように操作パネル２３０に原稿のプレビュー画像と「確定」ボタン８２０が表示される。ユーザーが原稿の上側を上にするときには、図３（２）（ａ）に示すように携帯端末２００の本体及びプレビュー画像が縦向の状態で「確定」ボタン８２０をポイントする。また、ユーザーが原稿の上側を左にするときには、図３（２）（ｂ）に示すように携帯端末２００の本体及びプレビュー画像が横向の状態で「確定」ボタン８２０をポイントする。なお、携帯端末２００の本体を横向にすると、携帯端末２００の自動回転機能が設定されている場合にはプレビュー画像が自動的に縦向きに回転するので、自動回転機能を無効に設定しておく。このような操作手順により、ユーザーは、原稿の上側を上にする（Top Edge on Top）設定または原稿の上側を左にする（Top Edge on Left）設定を行うことができる。
【００３７】
次に、携帯端末２００から原稿向きを設定する手順について、図４のフローチャートを用いて更に詳しく説明する。
【００３８】
まず、ユーザーが携帯端末２００の操作パネル２３０から印刷設定画面８００を表示する操作を行うと、操作パネル処理部２４０が印刷設定画面８００を操作パネル２３０に表示する。次に、ユーザーが印刷設定画面８００から「原稿向き」８１０をポイントすると、操作パネル処理部２４０から原稿向きの設定要求通知が制御部２１０に出力される。制御部２１０は、原稿向きの設定要求通知を入力すると、プレビュー画像要求処理部２１０ａを起動する。次に、プレビュー画像要求処理部２１０ａは、画像形成装置１００に対してプレビュー画像要求通知を送信し、画像形成装置１００からプレビュー画像データを受信すると、プレビュー画像データ記憶エリア２２０ａに記憶する。次に、制御部２１０は、プレビュー画像要求処理部２１０ａがプレビュー画像要求処理を終了したことを検出すると、原稿向き設定処理部２１０ｂを起動する。次に、原稿向き設定処理部２１０ｂが原稿向き設定処理を開始する。以下、図４に示す原稿向きを設定処理のフローチャートのステップ順に説明する。
【００３９】
（ステップＳ１０１）
まず、原稿向き設定処理部２１０ｂは、携帯端末２００の操作パネル２３０に表示される画像が携帯端末２００の向きに合わせて回転する自動回転機能を無効にする設定を行う。
【００４０】
（ステップＳ１０２）
次いで、原稿向き設定処理部２１０ｂは、プレビュー画像データ記憶エリア２２０ａからプレビュー画像データを取り出し、プレビュー画像と「確定」ボタン８２０を合成した画像を作成して操作パネル２３０に表示する。
【００４１】
（ステップＳ１０３）
次いで、原稿向き設定処理部２１０ｂは、「確定」ボタン８２０がポイントされたことを操作パネル処理部２４０から通知されるまで待ち状態とし、「確定」ボタン８２０がポイントされたことを通知されるとステップＳ１０４に進む。
【００４２】
（ステップＳ１０４）
次いで、原稿向き設定処理部２１０ｂは、３軸加速度センサー２５０により携帯端末２００の本体が縦向き状態であるかを判定する。携帯端末２００の本体が縦向き状態であるとき(ステップＳ１０４のＹｅｓ)は、ステップＳ１０５に進む。携帯端末２００の本体が横向きに回転して横向き状態であるとき(ステップＳ１０４のＮｏ)は、ステップＳ１０６に進む。
【００４３】
（ステップＳ１０５）
ステップＳ１０４のＹｅｓにおいて、原稿向き設定処理部２１０ｂは、表示されているプレビュー画像の印刷設定データに原稿の上側が上（Top Edge on Top）の設定を行うと、印刷設定データを印刷設定データ記憶エリア２２０ｂに記憶し、ステップＳ１０７に進む。
【００４４】
（ステップＳ１０６）
ステップＳ１０４のＮｏにおいて、原稿向き設定処理部２１０ｂは、表示されているプレビュー画像の印刷設定データに原稿の上側が左（Top Edge on Left）の設定を行うと、印刷設定データを印刷設定データ記憶エリア２２０ｂに記憶し、ステップＳ１０７に進む。
【００４５】
（ステップＳ１０７）
次いで、原稿向き設定処理部２１０ｂは、印刷設定データ記憶エリア２２０ｂの印刷設定データをネットワーク通信部２７０により画像形成装置１００に送信する。
【００４６】
（ステップＳ１０８）
次いで、原稿向き設定処理部２１０ｂは、操作パネル２３０に表示されているプレビュー画像と「確定」ボタン８２０を合成した画像を消去する。
【００４７】
（ステップＳ１０９）
次いで、原稿向き設定処理部２１０ｂは、ステップＳ１０１で設定した自動回転機能の無効を解除する設定を行い、原稿向き設定処理を終了する。
【００４８】
以上により、ユーザーが操作パネル２３０に印刷設定画面８００を表示し、「原稿向き」ボタン８１０をポイントすると、プレビュー画像と「確定」ボタン８２０が表示される。次に、ユーザーがプレビュー画像の原稿に対して上側を上（Top Edge on Top）とするときには、携帯端末２００の本体を縦向きとする。また、ユーザーがプレビュー画像の原稿に対して上側を左（Top Edge on Left）とするときには、携帯端末２００の本体を横向きとする。これにより、ユーザーは、操作パネル２３０に表示されている原稿のプレビュー画像を、画像形成装置１００の原稿台に原稿をセットするときと同じ動作を行うことで、直感的に原稿の向きを設定することができる。この原稿の上側を上（Top Edge on Top）にするか、または原稿の上側を左（Top Edge on Left）にするかの原稿の向きは、原稿を用紙に印刷するときにはどちらの向きに設定されていても問題ないが、ステープルや拡大縮小の機能を動作させるときには正しく設定する必要がある。このように携帯端末２００の本体を縦向きとするか横向きとすることで、ユーザーがイメージ通りのステープルや拡大縮小を行うための原稿の向きを設定できる。また、携帯端末２００から印刷設定データを画像形成装置１００に送信することで、画像形成装置１００は、印刷設定データの印刷設定に基づいてプレビュー画像の元の画像データをユーザーのイメージ通りに印刷できる。
【００４９】
なお、実施形態の図３（２）に示すようにユーザーが原稿の上側を上（Top Edge on Top）にするときには、携帯端末２００の本体を縦向の状態で「確定」ボタン８２０をポイントし、また、ユーザーが原稿の上側を左（Top Edge on Left）にするときには、携帯端末２００の本体を横向にした状態で「確定」ボタン８２０をポイントするようにしたが、これに限定されない。例えば、プレビュー画像が縦向の状態で「確定」ボタン８２０をポイントし、また、プレビュー画像自体を回転させて横向の状態で「確定」ボタン８２０をポイントして原稿の向きを決めることも可能である。
【００５０】
また、実施形態においては、画像形成装置１００と携帯端末２００とをネットワーク４００で接続し、ネットワーク４００により携帯端末２００と画像形成装置１００はデータの送受信を行うようにしたが、これに限定されない。例えば、画像形成装置１００の近距離無線通信部１８０と携帯端末２００の近距離無線通信部２６０により、画像形成装置１００と携帯端末２００とを近距離無線通信で接続し、この近距離無線通信により携帯端末２００と画像形成装置１００がデータの送受信することも可能である。また、画像形成装置１００と携帯端末２００をインターネット６００により接続し、インターネット６００の通信プロトコルを用いて、携帯端末２００と画像形成装置１００がデータの送受信することも可能である。
【００５１】
また、実施形態においては、画像形成装置１００が画像データからプレビュー画像データを作成するようにしたが、これに限定されない。例えば、携帯端末２００が画像形成装置１００から画像データを受信して、この画像データからプレビュー画像データを作成してプレビュー画像を表示することも可能である。
【００５２】
また、実施形態においては、プレビュー画像と「確定」ボタン８２０を合成した画像を作成して操作パネル２３０に表示するようにしたが、これに限定されない。例えば、操作パネル２３０にはプレビュー画像だけを表示し、携帯端末２００が備えている「決定」ボタンなどを「確定」ボタン８２０の代わりに用いることも可能である。
【００５３】
また、実施形態においては、印刷設定データを印刷設定データ記憶エリア２２０ｂに記憶するようにしたので、画像形成装置１００からの印刷設定データ送信要求を受信したときに、携帯端末２００が印刷設定データ記憶エリア２２０ｂの印刷設定データを画像形成装置１００に送信することも可能である。
【００５４】
また、実施形態においては、携帯端末２００は無線通信により画像形成装置１００からプレビュー画像データを受信するようにしたが、これに限定されない。例えば、携帯端末２００を携帯可能なＰＣ（パソコン）とし、このＰＣをネットワーク４００に直接接続して画像形成装置１００からプレビュー画像データを受信することも可能である。
【００５５】
このような本発明の画像形成システム及び携帯端末は、ユーザーが原稿の印刷を行うときに携帯端末から原稿の向きを直感的に設定することができる。
【００５６】
以上、具体的な実施の形態により本発明を説明したが、上記実施の形態は本発明の例示であり、この実施の形態に限定されないことは言うまでもない。
【産業上の利用可能性】
【００５７】
本発明の画像形成システム及び携帯端末は、プレビュー画像データの画像が表示可能な携帯端末及びこのような携帯端末を備えるあらゆるシステムに適用できる。
【符号の説明】
【００５８】
１０・・・・・画像形成システム
１００・・・・・画像形成装置
１１０・・・・・制御部
１１０ａ・・・・プレビュー画像作成処理部
１１０ｂ・・・・プレビュー画像送信処理部
１２０・・・・・メモリー部
１２０ａ・・・・画像データ記憶エリア
１２０ｂ・・・・プレビュー画像データ記憶エリア
１３０・・・・・記憶部
１３０ａ・・・・ドキュメントボックスエリア
１４０・・・・・操作パネル
１５０・・・・・操作パネル処理部
１６０・・・・・原稿読取部
１７０・・・・・画像処理部
１８０・・・・・近距離無線通信部
１９０・・・・・ネットワーク通信部
２００・・・・・携帯端末
２１０・・・・・制御部
２１０ａ・・・・プレビュー画像要求処理部
２１０ｂ・・・・原稿向き設定処理部
２２０・・・・・メモリー部
２２０ａ・・・・プレビュー画像データ記憶エリア
２２０ｂ・・・・印刷設定データ記憶エリア
２３０・・・・・操作パネル
２４０・・・・・操作パネル処理部
２５０・・・・・３軸加速度センサー部
２６０・・・・・近距離無線通信部
２７０・・・・・ネットワーク通信部
３００・・・・・アクセスポイント
４００・・・・・ネットワーク
５００・・・・・ルーター
６００・・・・・インターネット
７００・・・・・アクセスポイント
８００・・・・・印刷設定画面
８１０・・・・・「原稿向き」ボタン
８２０・・・・・「確定」ボタン
【図１】
2015187762.tif 000003
【図２】
2015187762.tif 000004
【図３】
2015187762.tif 000005
【図４】
2015187762.tif 000006